(57)【要約】【課題】建設現場において重機とこの重機に接近する接近者とが接近した際、前記重機と接近者との接触を未然に防ぐことによって安全性の向上を図ることができる重機接近者警報装置を提供すること。【解決手段】建設現場において重機２とこの重機２に接近する接近者３とが所定の距離まで接近した際に、前記接近者３の接近情報を前記重機２のオペレータに報知するものであり、前記接近者３が有し、接近者３を識別するためのＩＤデータを発信する無線タグ４と、前記重機２に取り付けられ、前記ＩＤデータを受信する受信装置５と、この受信装置５に接続され、前記受信したＩＤデータに基づく接近情報を報知する報知装置６とを備えており、前記報知装置６は前記受信したＩＤデータごとに異なる接近情報を報知することを特徴とする重機接近者警報装置１。【選択図】図１
2007120110.tif 000002
【特許請求の範囲】
【請求項１】
建設現場において重機とこの重機に接近する接近者とが所定の距離まで接近した際に、前記接近者の接近情報を前記重機のオペレータに報知する重機接近者警報装置であって、
前記接近者が有し、接近者を識別するためのＩＤデータを発信する無線タグと、
前記重機に取り付けられ、前記ＩＤデータを受信する受信装置と、
この受信装置に接続され、前記受信したＩＤデータに基づく接近情報を報知する報知装置とを備えており、
前記報知装置は前記受信したＩＤデータごとに異なる接近情報を報知することを特徴とする重機接近者警報装置。
【請求項２】
前記接近者は作業員であることを特徴とする請求項１に記載の重機接近者警報装置。
【請求項３】
前記接近者は運搬車であることを特徴とする請求項１に記載の重機接近者警報装置。
【請求項４】
前記接近者は他の重機であることを特徴とする請求項１に記載の重機接近者警報装置。
【請求項５】
前記報知装置は、前記接近者の種類ごとに異なる光を発する点灯部と、前記接近者の種類ごとに異なる音声を発するアナウンス部とを備えており、
前記点灯部によって発せられる光と、前記アナウンス部によって発せられる音声とのうち、少なくともいずれか一方によって前記接近情報が構成されていることを特徴とする請求項１から４のいずれか一項に記載の重機接近者警報装置。
【請求項６】
前記無線タグの発信距離を調節可能であることを特徴とする請求項１から５のいずれか一項に記載の重機接近者警報装置。
【請求項７】
前記受信装置は複数のＩＤデータを同時に読み取り可能であることを特徴とする請求項１から６のいずれか一項に記載の重機接近者警報装置。
【発明の詳細な説明】
【技術分野】
【０００１】
本発明は、建設現場において重機とこの重機に接近する接近者とが所定の距離まで接近した際に、前記接近者の接近情報を前記重機のオペレータに報知する重機接近者警報装置に関する。
【背景技術】
【０００２】
従来より、重機等の作業車と、その周囲で作業を行う他の作業車両や作業員との接触状態を速やかに検知でき、周囲の他車両や作業員に対する安全対策の向上を図った技術が知られている（例えば、特許文献１参照）。
【０００３】
この特許文献１に記載の接触警報装置は、運転台に着脱可能に取り付けられた装置本体と、この装置本体により任意方向に揺動可能に支持され、柔軟性を具備して形成された接触部材とを備えている。
そして、この接触部材の一端側に作業員等の接触物体が接触した時に、運転台近傍に配置された警報部から警報が発せられるようになっている。
【特許文献１】特開平１１−２２２８８１号公報
【発明の開示】
【発明が解決しようとする課題】
【０００４】
ところが、上記のような接触警報装置は、前記接触部材が作業員等の接触物体に接触しなければ警報が発せられないので、作業員が作業車に接近し、かつ作業員が前記接触部材に触れていなかった際は十分な安全を確保することが困難な場合があった。
【０００５】
本発明の課題は、建設現場において重機とこの重機に接近する接近者とが接近した際、前記重機と接近者との接触を未然に防ぐことによって安全性の向上を図ることができる重機接近者警報装置を提供することである。
【課題を解決するための手段】
【０００６】
以上の課題を解決するために、請求項１に記載の発明は、例えば図１および図２に示すように、建設現場において重機２とこの重機２に接近する接近者３とが所定の距離まで接近した際に、前記接近者３の接近情報を前記重機２のオペレータに報知する重機接近者警報装置１であって、前記接近者３が有し、接近者３を識別するためのＩＤデータを発信する無線タグ４と、前記重機２に取り付けられ、前記ＩＤデータを受信する受信装置５と、この受信装置５に接続され、前記受信したＩＤデータに基づく接近情報を報知する報知装置６とを備えており、前記報知装置６は前記受信したＩＤデータごとに異なる接近情報を報知することを特徴とする。
【０００７】
請求項１に記載の発明によれば、前記接近者を識別するためのＩＤデータを前記受信装置によって受信して、この受信したＩＤデータに基づく接近情報を前記重機のオペレータに報知するので、オペレータは前記接近者の接近情報をいち早く知ることが可能となる。これによって、オペレータは前記重機と接近者との接近距離を把握して、前記重機と接近者との接触を未然に防ぐことができ、安全性の向上を図ることが可能となる。
【０００８】
また、前記報知装置は前記受信したＩＤデータごとに異なる接近情報を報知することができるので、上述のように前記重機と接近者との接触を未然に防ぐためだけでなく、前記接近情報を、前記重機と共同で作業を進めるべき作業車両等の接近者が所定の距離内に到達したことを前記オペレータに認識させるための合図として用いることが可能となる。これによって、前記重機と作業車両等の前記接近者との連係作業を円滑に進めることができるので、作業効率を向上させることが可能となる。
【０００９】
請求項２に記載の発明は、例えば図１および図２に示すように、請求項１に記載の重機接近者警報装置１において、前記接近者３は作業員３ａであることを特徴とする。
【００１０】
請求項２に記載の発明によれば、前記重機のオペレータが前記接近者を作業員であるといち早く認識することができるので、前記重機と作業員との接近距離を把握して、前記重機と作業員との接触を未然に防ぐことができ、安全性の向上を図ることが可能となる。
【００１１】
請求項３に記載の発明は、例えば図１および図２に示すように、請求項１に記載の重機接近者警報装置１において、前記接近者３は運搬車３ｂであることを特徴とする。
【００１２】
請求項３に記載の発明によれば、前記重機のオペレータが前記接近者を運搬車であるといち早く認識することができるので、前記重機と運搬車との接近距離を把握して、前記重機と運搬車との接触を未然に防ぐことができ、安全性の向上を図ることが可能となる。
【００１３】
また、前記重機と共同で作業を進める運搬車が所定の距離内に到達したことを前記オペレータに認識させるための合図として前記接近情報を用いることができるので、前記重機と運搬車との連係作業を円滑に進めることができ、作業効率を向上させることが可能となる。
【００１４】
請求項４に記載の発明は、例えば図１および図２に示すように、請求項１に記載の重機接近者警報装置１において、前記接近者３は他の重機３ｃであることを特徴とする。
【００１５】
請求項４に記載の発明によれば、前記重機のオペレータが前記接近者を他の重機であるといち早く認識することができるので、前記重機と他の重機との接近距離を把握して、前記重機と他の重機との接触を未然に防ぐことができ、安全性の向上を図ることが可能となる。
【００１６】
また、前記重機と共同で作業を進める他の重機が所定の距離内に到達したことを前記オペレータに認識させるための合図として前記接近情報を用いることができるので、前記重機と他の重機との連係作業を円滑に進めることができ、作業効率を向上させることが可能となる。
【００１７】
請求項５に記載の発明は、例えば図１および図２に示すように、請求項１から４のいずれか一項に記載の重機接近者警報装置１において、前記報知装置６は、前記接近者３の種類ごとに異なる光を発する点灯部６ａと、前記接近者３の種類ごとに異なる音声を発するアナウンス部６ｂとを備えており、前記点灯部６ａによって発せられる光と、前記アナウンス部６ｂによって発せられる音声とのうち、少なくともいずれか一方によって前記接近情報が構成されていることを特徴とする。
【００１８】
請求項５に記載の発明によれば、前記接近者の種類ごとに異なる光と、前記接近者の種類ごとに異なる音声とのうち、少なくともいずれか一方を、前記報知装置で報知することによって、前記重機に接近する接近者の種類を前記重機のオペレータに即座に認識させることが可能となる。これによって、前記重機と接近者との接近距離を把握して、前記重機と接近者との接触を未然に防ぐことができ、安全性の向上を図ることが可能となる。しかも、前記重機と接近者との連係作業を円滑に進めることも可能となり、作業効率を向上させることが可能となる。
【００１９】
請求項６に記載の発明は、例えば図１および図２に示すように、請求項１から５のいずれか一項に記載の重機接近者警報装置１において、前記無線タグ４の発信距離を調節可能であることを特徴とする。
【００２０】
請求項６に記載の発明によれば、前記無線タグの発信距離を調節することによって、前記重機と接近者とが前記所定の距離よりも近付いた際に、前記報知装置を作動させないようにすることが可能となる。これによって、前記接近者が前記重機に近付いて作業を進めなければならない時に、前記報知装置が作動し続けることがないので、前記重機のオペレータとその周囲で作業を行う前記接近者とが快適な環境下で作業を行うことが可能となる。
【００２１】
請求項７に記載の発明は、例えば図１および図２に示すように、請求項１から６のいずれか一項に記載の重機接近者警報装置１において、前記受信装置５は複数のＩＤデータを同時に読み取り可能であることを特徴とする。
【００２２】
請求項７に記載の発明によれば、前記受信装置が複数のＩＤデータを同時に読み取ることができるので、前記重機のオペレータは周囲に接近してきた接近者が複数であることを前記報知装置によっていち早く認識することができる。これによって、前記重機のオペレータは一方の前記接近者だけに気を取られずに、他方の前記接近者にも気を配ることができるので、前記重機と複数の前記接近者との接触を未然に防ぐことが可能となり、安全性の向上を図ることが可能となる。
【発明の効果】
【００２３】
本発明によれば、接近者を識別するためのＩＤデータを無線タグによって発信するとともに、このＩＤデータを重機に取り付けられた受信装置によって受信し、さらには、この受信したＩＤデータに基づく接近情報を前記重機のオペレータに報知するので、オペレータは前記接近者の接近情報をいち早く知ることができ、前記重機と接近者との接近距離を把握して接触を未然に防ぐことができ、安全性の向上を図ることが可能となる。
また、前記受信装置に接続される報知装置は前記受信したＩＤデータごとに異なる接近情報を報知することができるので、前記接近情報を、前記重機と共同で作業を進める運搬車や他の重機等が所定の距離内に到達したことを前記オペレータに認識させるための合図として用いることが可能となる。これによって、前記重機と前記運搬車や他の重機等との連係作業を円滑に進めることができるので、作業効率を向上させることが可能となる。
【発明を実施するための最良の形態】
【００２４】
以下、図を参照して本発明を実施するための最良の形態を詳細に説明する。
本実施の形態の重機接近者警報装置１は、図１および図２に示すように、建設現場において重機２とこの重機２に接近する接近者３とが所定の距離まで接近した際に、前記接近者３の接近情報を前記重機２のオペレータに報知するものであり、
前記接近者３が有し、接近者３を識別するためのＩＤデータを発信する無線タグ４と、前記重機２に取り付けられ、前記ＩＤデータを受信する受信装置５と、この受信装置５に接続され、前記受信したＩＤデータに基づく接近情報を報知する報知装置６とを備えており、前記報知装置６は前記受信したＩＤデータごとに異なる接近情報を報知するようになっている。
【００２５】
ここで、前記重機２は、図１に示すように、土砂の掘削等を行うためのバケット２ａを備えるとともに、進行手段としてキャタピラー２ｂを備えたパワーシャベルを指している。そして、前記重機２には、この重機２を操縦するためのオペレータが搭乗するようになっている。
また、本実施の形態の前記接近者３は、図２に示すように、作業員３ａと、土砂の運搬を行う運搬車３ｂと、前記重機２とは異なる作業を行う他の重機３ｃのいずれかを指している。
【００２６】
前記無線タグ４は、図１に示すように、前記作業員３ａが携帯し、前記運搬車３ｂに取り付けられ、前記他の重機３ｃに取り付けられている。また、前記作業員３ａが無線タグ４を携帯する場合は、例えばヘルメットのように、作業中に必ず身に付けるものに取り付けておくことが好ましい。
【００２７】
このような無線タグ４は、図示はしないが、少なくともＩＤデータ発信用の発信アンテナ部および発信回路部と、前記ＩＤデータ等の諸データおよびプログラム等を記憶するための記憶部と、電源部と、これら各部を制御するマイコン部とを備えて内部が構成されている。
なお、この無線タグ４は、身に付けても作業の支障とならないように軽量であり、前記電源部も電池式となっており、小型のリチウムボタン電池等が用いられている。
【００２８】
また、この無線タグ４の前記各内部構成要素は、樹脂等からなる小筐状のタグ本体によって覆われている。さらに、このような無線タグ４を防水性のケースに入れておくことによって風雨に晒されるのを防ぐことができるので好ましい。
【００２９】
そして、この無線タグ４による前記ＩＤデータの発信手順としては、前記マイコン部の制御によって前記記憶部に記憶された前記ＩＤデータを抽出して、抽出された前記ＩＤデータを前記発信回路部によって発信している。
この時、前記ＩＤデータは、例えば０．２秒以上の間隔を開けて断続的に、かつ自動的に発信されるように設定されている。
【００３０】
次に、前記受信装置５は、樹脂等からなる筐体の内部に、少なくとも前記ＩＤデータ受信用の受信アンテナ部５ａ、５ａおよび受信回路部と、受信した前記ＩＤデータや各種ＩＤデータのリスト、その他の諸データ、およびプログラム等を記憶するための記憶部と、電源部と、これら各部を制御するマイコン部とを備えて構成されている。
また、前記前記受信装置５の一部には、この受信装置５と上位装置とを接続するための接続部が設けられている。
【００３１】
さらに、前記電源部は、例えば、前記重機２から電力を供給したり、充電式のアダプタから供給したり等、必要な電力を得ることができれば良く、後述する上位装置であるＰＬＣ装置７と接続して、このＰＬＣ装置７とともに電力を得るようにしても良い。
【００３２】
前記上位装置とは、ＰＬＣ装置７を指しており、前記受信装置５の接続部と接続する入力部と、前記受信装置５が受信した前記ＩＤデータや各種ＩＤデータのリスト、その他の諸データ、およびプログラム等を記憶する記憶部と、このＰＬＣ装置に接続される報知装置に動作を指示する出力部と、電源部７ａと、これら各部を制御する制御演算部とを備えている。
なお、前記電源部７ａは、例えば、前記重機２から電力を供給したり、充電式のアダプタから供給したり等、必要な電力を得ることができれば良い。
【００３３】
一方、前記ＩＤデータのリストとは、前記作業員３ａに対応するＩＤデータや、前記運搬車３ｂに対応するＩＤデータ、前記他の重機３ｃに対応するＩＤデータ等がリスト化されたものである。
【００３４】
また、前記ＰＬＣ装置７と接続される報知装置６は、図１に示すように、前記接近者３の種類ごとに異なる光を発する点灯部６ａと、前記接近者３の種類ごとに異なる音声を発するアナウンス部６ｂとを備えており、前記点灯部６ａによって発せられる光と、前記アナウンス部６ｂによって発せられる音声とのうち、少なくともいずれか一方によって前記接近情報が構成されている。
【００３５】
このような報知装置６によれば、前記接近者３の種類ごとに異なる光と、前記接近者３の種類ごとに異なる音声とのうち、少なくともいずれか一方を、前記報知装置６で報知することによって、前記重機２に接近する接近者３の種類を前記重機２のオペレータに即座に認識させることが可能となる。これによって、前記重機２と接近者３との接近距離を把握して、前記重機２と接近者３との接触を未然に防ぐことができ、安全性の向上を図ることが可能となる。しかも、前記重機２と接近者３との連係作業を円滑に進めることも可能となり、作業効率を向上させることが可能となる。
【００３６】
なお、このように前記接近者３ごとに異なる光や音声を発する際は、前記報知装置６の内部に記憶されている光・音声データを前記ＰＬＣ装置７の指示を受けて行われるように設定されている。
【００３７】
そして、前記受信装置５による前記ＩＤデータの受信手順としては、前記受信アンテナ部５ａ、５ａおよび受信回路部で受けたＩＤデータが、前記記憶部に記憶されている複数種類のＩＤデータのうち、どの種類の接近者３のものかを、前記マイコン部の制御によって認識する。その後、その情報を前記接続部を介して前記ＰＬＣ装置７に送るようになっている。
【００３８】
次に、前記ＰＬＣ装置７による前記報知装置６への指示手順としては、前記受信装置５から前記ＰＬＣ装置７の入力部へと送られた前記受信したＩＤデータの情報を、前記記憶部に記憶されている複数種類のＩＤデータのうち、どの種類の接近者３のものかを、前記制御演算部の制御によって認識する。その後、その情報を指示として前記出力部を介して前記報知装置６へと送るようになっている。
【００３９】
次いで、前記報知装置６は、前記ＰＬＣ装置７から受け取ったＩＤデータ情報に基づいて、前記点灯部６ａおよびアナウンス部６ｂによる光と音声の接近情報を報知するようになっている。
なお、前記点灯部６ａは、接近者３の種類ごとに色分けされている。この時、例えば接近者３が作業員３ａであった場合は、例えば緊急度の高い色に配色することで重機２のオペレータがより早く認識できるようになる。
【００４０】
さらに、騒音等で音声が聞こえなかった場合にも、前記点灯部６ａを色分けしておくことによって、前記重機２のオペレータは、前記接近者３が何れの種類の接近者３なのかを認識することができるようになる。これによって、さらに安全性の向上を図ることが可能となる。
【００４１】
また、以上のような受信装置５およびＰＬＣ装置７、報知装置６は、前記重機２に対して着脱可能であることが望ましい。このように着脱可能であれば、様々な建設現場で用いることができたり、それぞれの前記記憶部へ新規データを記憶させたり等、作業性の向上を図ることが可能となる。
【００４２】
以上のようにして、前記重機２に取り付けられた前記受信装置５および報知装置６、ＰＬＣ装置７によって、オペレータは前記重機２に接近する接近者３をいち早く認識することができるようになっている。
【００４３】
そして、図２（ａ）に示すように、前記接近者３が作業員３ａであった場合には、前記点灯部６ａによって作業員３ａ用の光を発するとともに作業員３ａ用の音声を発するようになっている。
【００４４】
このように前記接近者３が作業員３ａであった場合、前記無線タグ４および受信装置５、報知装置６等の作動によって、前記重機２のオペレータが前記接近者３を作業員３ａであるといち早く認識することができるので、前記重機２と作業員３ａとの接近距離を把握して、前記重機２と作業員３ａとの接触を未然に防ぐことができ、安全性の向上を図ることが可能となる。
【００４５】
また、図２（ｂ）に示すように、前記接近者３が運搬車３ｂであった場合には、前記点灯部６ａによって運搬車３ｂ用の光を発するとともに運搬車３ｂ用の音声を発するようになっている。
【００４６】
そして、このように前記接近者３が運搬車３ｂであった場合、前記無線タグ４および受信装置５、報知装置６等の作動によって、前記重機２のオペレータが前記接近者３を運搬車３ｂであるといち早く認識することができるので、前記重機２と運搬車３ｂとの接近距離を把握して、前記重機２と運搬車３ｂとの接触を未然に防ぐことができ、安全性の向上を図ることが可能となる。
また、前記重機２と共同で作業を進める運搬車３ｂが所定の距離内に到達したことを前記オペレータに認識させるための合図として前記接近情報を用いることができるので、前記重機２と運搬車３ｂとの連係作業を円滑に進めることができ、作業効率を向上させることが可能となる。
【００４７】
また、図２（ｃ）に示すように、前記接近者３が他の重機３ｃであった場合には、前記点灯部６ａによって他の重機３ｃ用の光を発するとともに他の重機３ｃ用の音声を発するようになっている。
【００４８】
そして、このように前記接近者３が他の重機３ｃであった場合、前記無線タグ４および受信装置５、報知装置６等の作動によって、前記重機２のオペレータが前記接近者３を他の重機３ｃであるといち早く認識することができるので、前記重機２と他の重機３ｃとの接近距離を把握して、前記重機２と他の重機３ｃとの接触を未然に防ぐことができ、安全性の向上を図ることが可能となる。
また、前記重機２と共同で作業を進める他の重機３ｃが所定の距離内に到達したことを前記オペレータに認識させるための合図として前記接近情報を用いることができるので、前記重機２と他の重機３ｃとの連係作業を円滑に進めることができ、作業効率を向上させることが可能となる。
【００４９】
一方、上述のように前記重機２がパワーシャベルであった場合、土砂を掘削し、その土砂をダンプカー等の土砂運搬用の運搬車３ｂに積み込むような作業が建設現場で頻繁に行われる場合がある。
この時、前記重機２に取り付けられた受信装置５と、前記運搬車３ｂに取り付けられた無線タグ４とが所定の距離よりも近付いてしまう場合がある。このような場合、前記報知装置６は作業中、常に接近情報を報知している状態となってしまうので、前記無線タグ４の発信距離を調節する。
【００５０】
そして、このように前記無線タグ４の発信距離を調節することによって、前記重機２と運搬車３ｂとが前記所定の距離よりも近付いた際に、前記報知装置６を作動させないようにすることが可能となる。これによって、前記運搬車３ｂが前記重機２に近付いて作業を進めなければならない時に、前記報知装置６が作動し続けることがないので、前記重機２のオペレータとその周囲で作業を行う前記運搬車３ｂとが快適な環境下で作業を行うことが可能となっている。
【００５１】
なお、前記無線タグ４の発信距離を調節するには、図示はしないが、前記無線タグ４の所定箇所に、スイッチ機能や発信電波の調節機能等を備えておいても良い。この時、発信距離を調節するためのスイッチ部分や調節部分にはカバー等をして、誤作動等で発信距離が極端に縮まり過ぎないようにしておくことが望ましい。
【００５２】
また一方、建設現場においては多数の作業員３ａと、重機２、３ｃや運搬車３ｂ等、多数の車両とが作業を行う場合が多くあり、前記重機２の周囲に、多くの接近者３が接近してくる場合がある。
【００５３】
このような場合、前記受信装置５は前記接近者３それぞれの無線タグ４から発せられる複数のＩＤデータを同時に読み取ることができるので、前記重機２のオペレータは周囲に接近してきた接近者３が複数であることを前記報知装置６によっていち早く認識することができる。これによって、前記重機２のオペレータは一方の前記接近者３だけに気を取られずに、他方の前記接近者３にも気を配ることができるので、前記重機２と複数の前記接近者３との接触を未然に防ぐことが可能となり、安全性の向上を図ることが可能となっている。
【００５４】
以上のように本実施の形態の重機接近者警報装置１によれば、接近者３を識別するためのＩＤデータを無線タグ４によって発信するとともに、このＩＤデータを重機２に取り付けられた受信装置５によって受信し、さらには、この受信したＩＤデータに基づく接近情報を前記重機２のオペレータに報知するので、オペレータは前記接近者３の接近情報をいち早く知ることができ、前記重機２と接近者３との接近距離を把握して接触を未然に防ぐことができ、安全性の向上を図ることが可能となる。
【００５５】
また、前記受信装置５に接続される報知装置６は前記受信したＩＤデータごとに異なる接近情報を報知することができるので、前記接近情報を、前記重機２と共同で作業を進める運搬車３ｂや他の重機３ｃ等が所定の距離内に到達したことを前記オペレータに認識させるための合図として用いることが可能となる。これによって、前記重機２と前記運搬車３ｂや他の重機３ｃ等との連係作業を円滑に進めることができるので、作業効率を向上させることが可能となる。
【００５６】
なお、上述のように本実施の形態では前記無線タグ４を有する接近者３を作業員３ａ、運搬車３ｂ、他の重機３ｃとしたが、これに限られるものではなく、例えば、近接する建築物等でも良い。
【００５７】
すなわち、近接する建築物の周囲で前記重機２が作業をする場合に、この重機２が必要以上に建築物に近付いた際に前記報知装置６が作動するようにしておくことによって、前記重機２のオペレータが建築物に近付いているといち早く認識することができるので、前記重機２と建築物との接近距離を把握して接触を未然に防ぐことができ、さらに安全性の向上を図ることが可能となる。
これに伴って、前記点灯部６ａの色分けを増やしても良く、前記アナウンス部６ｂの音声の種類を増やしても良い。
【００５８】
また、本実施の形態の重機接近者警報装置１は、前記無線タグ４から前記受信装置５へとＩＤデータを送る単方向型を採用しているが、これに限られるものではなく、例えば、前記受信装置５から信号を発信し、前記無線タグ４がこれを受信、報知できるようにしても良い。
すなわち、前記無線タグ４および受信装置５の双方に送受信回路部を設けるなどして双方向型重機接近者警報装置１とすることで、建設現場において、より安全性に配慮することができるので望ましい。
【図面の簡単な説明】
【００５９】
【図１】本発明の重機接近者警報装置を示す構成図である。
【図２】接近者の種類と、接近者の種類ごとに応じた報知装置の作動状態を示す説明図であり、（ａ）は接近者が作業員であった場合、（ｂ）は接近者が運搬車であった場合、（ｃ）は接近者が他の重機であった場合を示す。
【符号の説明】
【００６０】
１  重機接近者警報装置
２  重機
３  接近者
３ａ  作業員
３ｂ  運搬車
３ｃ  他の重機
４  無線タグ
５  受信装置
６  報知装置
６ａ  点灯部
６ｂ  アナウンス部
７  ＰＬＣ装置
【図１】
2007120110.tif 000003
【図２】
2007120110.tif 000004